(57)【要約】【課題】任意の間隔でブラケットを取付けることができるとともに、上記ブラケットに手摺りをしっかりと固定できる手摺りの取付け構造を提供する。【解決手段】下方に開口する溝部３１が長手方向に凹設された手摺り３と、側面視Ｊ字型に形成されたブラケット１と、補強材４からなる手摺りの取付け構造であって、上記ブラケット１は、その下部に駆体取付け用のフランジ部１２が形成され、その上部には上記溝部３１に嵌合する嵌合部２を備えた鍔状の手摺り支持部１１が形成され、上記溝部３１のうち、任意間隔で取付けられたブラケット１の嵌合部２との嵌合部分以外の溝部３１には上記補強材４が嵌装されることを特徴とする。【選択図】　図５
2004011383.tif 000002
【特許請求の範囲】
【請求項１】
下方に開口する溝部が長手方向に凹設された手摺りと、側面視Ｊ字型に形成されたブラケットと、補強材とからなる手摺りの取付け構造であって、上記ブラケットは、その下部に駆体取付け用のフランジ部が形成され、その上部には上記溝部に嵌合する嵌合部を備えた鍔状の手摺り支持部が形成され、上記溝部のうち、任意間隔で取付けられたブラケットの嵌合部との嵌合部分以外の溝部には上記補強材が嵌装されることを特徴とする手摺りの取付け構造。
【請求項２】
上記手摺り支持部は手摺りを支持するとともに、鍔状部は補強材の端部を載置、固定する、請求項１記載の手摺りの取付け構造。
【請求項３】
上記駆体に上記ブラケットを固定し、上記手摺りに凹設された溝部に上記嵌合部を嵌合させ、嵌合部分以外の溝部に補強材を入れ子式に嵌装する、請求項１記載の手摺りの取付け構造。
【請求項４】
上記溝部のうち、上記嵌合部との嵌合部分以外の溝部に、予め補強材を嵌着させ、補強材が嵌着されていない溝部に上記嵌合部を嵌合させる、請求項１記載の手摺りの取付け構造。
【請求項５】
上記手摺りに凹設される溝部の形状が横断面視台形とされるとともに、上記溝部に嵌装される上記補強材も横断面視略同形の台形とされる、請求項１記載の手摺りの取付け構造。
【発明の詳細な説明】
【０００１】
【発明の属する技術分野】
本発明は、階段や廊下等の壁面に設置される手摺りの取付け構造に関する。さらに詳しくは、上記壁面の任意の位置に手摺りを取付けることのできる、手摺りの取付け構造に関する。
【０００２】
【従来の技術】
従来、壁面が、石膏ボードや壁パネルからなる場合、下地間柱等の位置を確認し、これらの下地部材の上にビス等でブラケットを固定し、このブラケットに手摺りを取付けることが行なわれてきた。このとき、とくに、階段手摺りにおいては、上記下地部材の位置が等間隔であっても階段の勾配が変わればブラケットの位置間隔が変わるため、上記ブラケットを適切な任意の位置に固定し、それに手摺りを取付ける、手摺りの取付け構造が提案されている。たとえば、上記先行技術としては、特開平９−１５１５８８号、特開平１１−２００５７９号、特開平１１−１０７４７８号公報等に記載の技術が知られている。
【０００３】
【発明が解決しようとする課題】
しかしながら、ブラケットの間隔が広くなると、手摺りにたわみが生じたり、ガタツキが出易く、上記先行技術は、これらの問題を解決するには十分に満足すべきものとはいえない。そこで、本発明は、たとえば、階段等の壁面に手摺りを傾斜して取付ける場合、手摺りの位置における下地部材の相対的な間隔が変わり、手摺り取付け用のブラケットの間隔が広くなっても、手摺りをしっかりと壁面に固定することのできる手摺りの取付け構造を提供することをその課題とする。
【０００４】
【課題を解決するための手段】
本発明は、上記課題を解決するために考え出されたものであって、つぎのような技術的手段を講じている。すなわち、本発明によれば、下方に開口する溝部が長手方向に凹設された手摺りと、側面視Ｊ字型に形成されたブラケットと、補強材とからなる手摺りの取付け構造であって、上記ブラケットは、その下部に駆体取付け用のフランジ部が形成され、その上部には上記溝部に嵌合する嵌合部を備えた鍔状の手摺り支持部が形成され、上記溝部のうち、任意間隔で取付けられたブラケットの嵌合部との嵌合部分以外の溝部には上記補強材が嵌装されることを特徴とする手摺りの取付け構造が提供される。
【０００５】
上記のように構成することにより、たとえば、階段等の壁面に手摺りを傾斜して取付ける場合、手摺りの位置における下地部材の相対的な間隔が変わり、ブラケットの取付け間隔が変わっても、手摺りを壁面の任意の位置にしっかりと固定することができる。さらに、手摺り取付け用のブラケットの間隔が広くなり、手摺りにたわみや、ガタツキが生じるおそれのある場合でも、上記溝部に補強材を嵌装することにより、これらの問題を解消することができる。
【０００６】
また、上記手摺り支持部は手摺りを支持するとともに、鍔状部に補強材の端部を載置、固定する。このようにすることにより、手摺り支持部は、手摺りを支持するとともに、鍔状の部分に補強材を載置、固定する役割も果たし、この補強材と、手摺り支持部とをビス等で固定することにより、しっかりと、手摺りをブラケットに固定することができる。
【０００７】
上記補強材は、上記手摺りに凹設された溝部に入れ子式に嵌装される。すなわち、上記駆体に上記ブラケットを固定し、ついで、上記溝部に上記嵌合部を嵌合させ、嵌合部分以外の溝部に、補強材が入れ子式に嵌装される。このようにすることにより、後から、上記溝部に補強材を嵌装することが可能となり、必要に応じて、部分的に手摺りを補強することができる。
【０００８】
上記補強材は、上記溝部のうち、上記嵌合部との嵌合部分以外の溝部に、予め嵌着され、補強材が嵌着されていない溝部に上記嵌合部を嵌合させてもよい。このようにすることにより、とくに、階段部等における壁面で、手摺りを傾斜して設置する場合でも、この嵌合部で手摺りが仮固定されるため、手摺り支持部と補強材とのネジ留め等の固定作業が容易となる。その結果、手摺りは、補強材を介して、しっかりと、ブラケットに固定される。
【０００９】
上記手摺りに凹設される溝部の形状は横断面視台形とされるとともに、上記溝部に嵌装される上記補強材も横断面視略同形の台形とされることが好ましい。上記溝部と、上記補強材との横断面を略同一テーパを持つ台形とすることにより、補強材は、上記テーパに沿って容易に上記溝部に嵌装され、ガタつくことなくぴったりと、上記溝部に納められる。
【００１０】
【発明の実施の形態】
以下、本発明の好ましい実施の形態について、図面を参照してより詳細に説明する。図１は本発明にかかる手摺りの取付け構造の分解斜視図である。図１において、側面視Ｊ字型に形成されたブラケット１は、その下部がフランジ部１２とされ、その上部には、手摺り３の長手方向に凹設された溝部３１に嵌合する嵌合部２を備えた鍔状の手摺り支持部１１が形成されている。フランジ部１２には、図示しない下地部材にネジ留めするためのビス孔１２１が設けられ、ビスによって駆体に固定される。補強材４は、ブラケット１の取付け間隔が広くなり、手摺り３がたわんだり、ガタツキが生じたりする場合、上記溝部３１に嵌装されて、手摺り３を補強、固定する。符号１１１は、手摺り支持部１１と、上記補強材４とをネジ留めするためのビス孔である。
【００１１】
図２は、図１の部分拡大斜視図であり、図２からよくわかるように、手摺り支持部１１は鍔状とされ、中央部に嵌合部２を突設している。図２において、手摺り支持部１１は、手摺り３を支持するとともに、鍔状の部分に補強材４の端部を載置し、補強材４は、ビスＣによって上記手摺り支持部１１に固定される。
【００１２】
つぎに、本発明の手摺りの取付け構造に補強材４を嵌装する実施形態について説明する。図３は、ブラケット１に手摺り３を取付け、補強材４を入れ子式に嵌装する形態を説明する説明図である。本形態においては、まず、所定の間隔でフランジ１２を下地部材にネジ留めし、ブラケットＡ、Ｂを駆体に取付ける。ついで、手摺り３に凹設された溝部３１に上記嵌合部２を仮嵌合させ、手摺り３の位置を決める。その後、図３中、▲１▼、▲２▼、▲３▼で示す順序で補強材４を溝部３１に嵌装する。すなわち、まず、補強材４の一端をブラケットＡの嵌合部２に当接するまで嵌入し▲１▼、ついで、補強材４を上方に持ち上げ▲２▼、補強材４が溝部３１に嵌ったら、ブラケットＢの手摺り支持部１１に補強材４の他端が掛かるように位置調整をおこなう▲３▼。最後に、ビス孔１１１を挿通するビスＣで手摺り支持部１１と補強材４とをネジ留めする。このようにすることにより、後から上記溝部３１に補強材４を嵌装することが可能となり、必要に応じて、部分的に手摺りの補強を行なうことができる。
【００１３】
図４は、本発明の手摺りの取付け構造に補強材４を嵌装する他の実施形態について説明するための説明図である。図４からよくわかるように、まず、所定の間隔でブラケット１を駆体に取付け、手摺り３に凹設された溝部３１に上記嵌合部２を仮嵌合させて、手摺り３の位置を決める。ついで、上記溝部３１のうちで、上記嵌合部２と嵌合する部分以外の溝部に補強材４を接着、ネジ留め等により嵌着させ、補強材４が嵌装されていない部分に上記嵌合部２を嵌合する。このようにすれば、とくに、階段部等の壁面に傾斜して手摺りを取付けるとき、この嵌合部２で手摺り３が仮固定されるため、手摺り支持部１１と補強材４とのネジ留め等の固定作業が容易となる。その結果、手摺り３は、補強材４を介して、しっかりと、ブラケット１に固定される。
【００１４】
本発明にかかる手摺りの取付け構造のさらに好ましい実施の形態として、手摺り３に凹設される溝部３１ａの形状が横断面視台形とされるとともに、上記溝部３１ａに嵌装される補強材４ａも横断面視略同形の台形とされる。図５に、上記形態の手摺りの取付け構造の分解斜視図を示す。このとき、手摺り支持部１１の鍔部に載置される補強材４ａの両端は、略直角もしくは、下方に広がる角度を持つテーパ状にカットされる。図５においては、補強材４ａの両端を上記テーパ状にカットし、嵌合部２ａも、補強材４ａの両端部のテーパに合わせて、その側面が略同じテーパでカットされる。このようにすることにより、嵌合部２ａは、上記テーパに沿って容易に嵌合することができるとともに、補強材４ａをガタつくことなくぴったりと、嵌装させることができる。
【００１５】
図６（ａ）、（ｂ）は、図５に示す実施形態において、補強材４ａを嵌装する方法を示す説明図である。図６（ａ）において、まず、所定の間隔でブラケット１を駆体に取付け、手摺り３に凹設された溝部３１ａに上記嵌合部２ａを仮嵌合させて、手摺り３の位置を決める。ついで、上記溝部３１ａの中で、上記嵌合部２ａと嵌合する部分以外の溝部に補強材４ａを接着、ネジ留め等により嵌着させ、補強材４ａが嵌装されていない部分に上記嵌合部２ａを嵌合する。最後に、図６（ｂ）に示すように、ビス孔１１１を挿通するビスＣで手摺り支持部１１と補強材４ａとをネジ留めすれば、手摺り３は、補強材４ａを介して、しっかりと、ブラケット１に固定される。
【００１６】
【発明の効果】
以上述べたように、本願請求項１に記載の発明は、下方に開口する溝部３１が長手方向に凹設された手摺り３と、側面視Ｊ字型に形成されたブラケット１と、補強材４とからなる手摺りの取付け構造であって、上記ブラケット１は、その下部に駆体取付け用のフランジ部１２が形成され、その上部には上記溝部３１に嵌合する嵌合部２を備えた鍔状の手摺り支持部１１が形成され、上記溝部３１のうち、任意間隔で取付けられたブラケット１の嵌合部２との嵌合部分以外の溝部３１には上記補強材４が嵌装されることを特徴とする手摺りの取付け構造である。
【００１７】
上記のように構成することにより、階段等の壁面に手摺りを傾斜して取付ける場合、手摺りの位置における下地部材の相対的な間隔が変わり、ブラケットの取付け間隔が変わっても、手摺りを壁面の任意の位置でしっかりと固定することができる。さらに、手摺り取付け用のブラケットの間隔が広くなり、手摺りにたわみや、ガタツキが生じるおそれのある場合でも、上記溝部に補強材を嵌装することにより、これらの問題を解消することができる。
【００１８】
請求項２に記載の発明は、上記手摺り支持部１１が手摺り３を支持するとともに、鍔状部に補強材４の端部が載置、固定される。このようにすることにより、請求項１に記載の発明の効果に加え、手摺り支持部１１が、手摺り３を支持するとともに、鍔状の部分に補強材４を載置、固定する役割も果たし、この補強材４と、手摺り支持部１１とをビス等で固定することにより、しっかりと、手摺り３をブラケット１に固定することができる。
【００１９】
請求項３に記載の発明は、上記駆体に上記ブラケット１を固定し、上記手摺り３に凹設された溝部３１に嵌合部２を嵌合させ、嵌合部分以外の溝部３１に補強材４が入れ子式に嵌装される。このようにすることにより、請求項１に記載の発明の効果に加えて、後から上記溝部３１に補強材４を嵌装することが可能となり、必要に応じて、部分的に手摺りの補強を行なうことができる。
【００２０】
請求項４に記載の発明は、上記溝部３１のうち、上記嵌合部２との嵌合部分以外の溝部に、予め補強材４を嵌着させ、補強材４が嵌着されていない溝部に上記嵌合部２が嵌合される。このようにすることにより、請求項１に記載の発明の効果に加え、とくに、階段部等における壁面で、手摺り３を傾斜して設置する場合でも、この嵌合部２で手摺り３が仮固定されるため、手摺り支持部１１と補強材４とのネジ留め等の固定作業が容易となる。その結果、手摺り３は、補強材４を介して、しっかりと、ブラケット１に固定される。
【００２１】
請求項５に記載の発明は、上記手摺り３に凹設される溝部３１ａの形状が横断面視台形とされるとともに、上記補強材４ａも横断面視略同形の台形とされる。上記溝部３１ａと、上記補強材４ａとの横断面を略同一テーパを持つ台形とすることにより、請求項１に記載の発明の効果に加え、補強材４ａは、上記テーパに沿って容易に上記溝部３１ａに嵌装され、ガタつくことなくぴったりと、上記溝部３１ａに納められる。
【図面の簡単な説明】
【図１】本発明の一実施形態にかかる手摺りの取付け構造を示す分解斜視図である。
【図２】上記実施形態における部分拡大斜視図である。
【図３】補強材を溝部に入れ子式に嵌装する形態を説明する説明図である。
【図４】補強材を予め溝部に嵌着させた後、嵌合部を溝部に嵌合する形態を示す説明図である。
【図５】本発明の他の実施形態にかかる手摺りの取付け構造を示す分解斜視図である。
【図６】（ａ）上記実施形態において補強材を嵌装する方法を示す説明図である。
（ｂ）上記実施形態において補強材を嵌装する方法を示す説明図である。
【符号の説明】
１　　　　ブラケット
１１　　　手摺り支持部
１１１　　ビス孔
１２　　　フランジ部
１２１　　ビス孔
２　　　　嵌合部
３　　　　手摺り
３１　　　溝部
４　　　　補強材
２ａ　　　側面視台形の嵌合部
３１ａ　　横断面視台形の溝部
４ａ　　　横断面視台形の補強材
Ａ、Ｂ　　任意間隔で駆体に取付けられたブラケット
Ｃ　　　　ビス
【図１】
2004011383.tif 000003
【図２】
2004011383.tif 000004
【図３】
2004011383.tif 000005
【図４】
2004011383.tif 000006
【図５】
2004011383.tif 000007
【図６】
2004011383.tif 000008